(57)【要約】複数の記憶領域のそれぞれの使用状況を視覚的に分かり易く提示することができる情報管理方法は、複数の記憶領域のユーザ設定情報を取得するステップ（Ｓ１１）と、指定ユーザＩＤを受け付け、指定ユーザＩＤに対応するユーザ情報を取得するステップ（Ｓ１２，Ｓ１３）と、画像を表示するステップ（Ｓ１４）とを含み、画像を表示するステップ（Ｓ１４）では、指定ユーザＩＤまたはユーザ情報により特定されるユーザに関するユーザ設定情報を記憶している記憶領域に対しては第１の画像を表示し、指定ユーザＩＤまたは前記ユーザ情報により特定されるユーザとは異なるユーザに関するユーザ設定情報を記憶している記憶領域に対しては第２の画像を表示し、ユーザに使用されていないことを示すユーザ設定情報が記憶されている前記記憶領域に対しては第３の画像を表示する。
2014034116.tif 000002
【特許請求の範囲】
【請求項１】
複数の記憶領域を管理するための情報管理方法であって、
前記複数の記憶領域を有する機器から、記憶領域ごとに、当該記憶領域に記憶されているユーザに関する情報であるユーザ設定情報を取得する第１の取得ステップと、
指定されるユーザＩＤを指定ユーザＩＤとして受け付ける受付ステップと、
前記指定ユーザＩＤにより特定されるユーザの特徴を示すユーザ情報を取得する第２の取得ステップと、
前記指定ユーザＩＤおよび前記ユーザ情報と前記複数の記憶領域のそれぞれのユーザ設定情報とに基づき、前記複数の記憶領域のそれぞれに対応付けられる画像を表示する表示ステップとを含み、
前記表示ステップでは、
前記指定ユーザＩＤまたは前記ユーザ情報により特定されるユーザに関するユーザ設定情報を記憶している記憶領域に対しては第１の画像を表示し、
前記指定ユーザＩＤまたは前記ユーザ情報により特定されるユーザとは異なるユーザに関するユーザ設定情報を記憶している記憶領域に対しては、前記第１の画像とは異なる第２の画像を表示し、
ユーザに使用されていないことを示すユーザ設定情報が記憶されている前記記憶領域に対しては、前記第１および第２の画像の何れとも異なる第３の画像を表示する
情報管理方法。
【請求項２】
前記表示ステップでは、
前記複数の記憶領域のうちの何れかの記憶領域において、
前記指定ユーザＩＤと、当該記憶領域の前記ユーザ設定情報によって示されるユーザＩＤとが一致する場合、または、前記ユーザ設定情報によってユーザＩＤが示されておらず、且つ、前記ユーザ情報によって示される特徴と、当該記憶領域の前記ユーザ設定情報によって示されるユーザの特徴とが略一致する場合に、
当該記憶領域に対して前記第１の画像を表示する
請求項１に記載の情報管理方法。
【請求項３】
前記表示ステップでは、
前記複数の記憶領域のうちの何れかの記憶領域において、
前記指定ユーザＩＤと、当該記憶領域の前記ユーザ設定情報によって示されるユーザＩＤとが一致しない場合、または、前記ユーザ設定情報によってユーザＩＤが示されておらず、且つ、前記ユーザ情報によって示される特徴と、前記ユーザ設定情報によって示されるユーザの特徴とが略一致しない場合に、
当該記憶領域に対して前記第２の画像を表示する
請求項１または２に記載の情報管理方法。
【請求項４】
前記表示ステップでは、
前記複数の記憶領域のうちの何れかの記憶領域において、
前記指定ユーザＩＤと、当該記憶領域の前記ユーザ設定情報によって示されるユーザＩＤとが一致する場合には、第４の画像を前記第１の画像として表示し、
前記ユーザ設定情報によってユーザＩＤが示されておらず、且つ、前記ユーザ情報によって示される特徴と、前記ユーザ設定情報によって示されるユーザの特徴とが略一致する場合には、前記第４の画像とは異なる第５の画像を前記第１の画像として表示する
請求項２に記載の情報管理方法。
【請求項５】
前記表示ステップでは、
前記複数の記憶領域のうちの何れかの記憶領域において、
前記指定ユーザＩＤと、当該記憶領域の前記ユーザ設定情報によって示されるユーザＩＤとが一致しない場合には、第６の画像を前記第２の画像として表示し、
前記ユーザ設定情報によってユーザＩＤが示されておらず、且つ、前記ユーザ情報によって示される特徴と、前記ユーザ設定情報によって示されるユーザの特徴とが略一致しない場合には、前記第６の画像とは異なる第７の画像を前記第２の画像として表示する
請求項３に記載の情報管理方法。
【請求項６】
前記情報管理方法は、さらに、
前記機器から、記憶領域ごとに、当該記憶領域が使用された履歴を示す履歴情報を取得する第３の取得ステップと、
記憶領域ごとに、当該記憶領域に対する優先度を、取得された前記履歴情報を用いて決定する優先度決定ステップとを含み、
前記表示ステップでは、
さらに、前記複数の記憶領域のそれぞれに対して決定された優先度を示す優先度情報を、前記複数の記憶領域のそれぞれに対応付けて表示する
請求項１〜５の何れか１項に記載の情報管理方法。
【請求項７】
前記表示ステップでは、
前記第１〜第３の画像のそれぞれの、背景色、枠の色、アイコン画像、文字列、または、文字列の色が互いに異なるように、前記第１〜第３の画像を表示する
請求項１〜６の何れか１項に記載の情報管理方法。
【請求項８】
前記情報管理方法は、さらに、
前記表示ステップで表示される複数の画像のうち、指定された画像に対応付けられる記憶領域を選択する選択ステップと、
選択された前記記憶領域に、前記指定ユーザＩＤまたは前記ユーザ情報を当該記憶領域のユーザ設定情報として格納する格納ステップとを含む
請求項１〜７の何れか１項に記載の情報管理方法。
【請求項９】
前記情報管理方法は、さらに、
前記選択ステップにおいて、前記指定ユーザＩＤと一致していないユーザＩＤを示す前記ユーザ設定情報が記憶されている記憶領域が選択された場合に、前記指定ユーザＩＤまたは前記ユーザ情報を格納するか否かを問い合わせる画面を表示する問い合わせ画面表示ステップと、
前記画面における問い合わせに対する回答を受け付ける回答受付ステップとを含み、
前記格納ステップでは、
前記回答受付ステップで、格納を行うことを示す回答が受け付けられた場合に、前記指定ユーザＩＤまたは前記ユーザ情報を格納する
請求項８に記載の情報管理方法。
【請求項１０】
前記情報管理方法は、さらに、
選択された前記記憶領域に格納されている暗証番号を取得する第４の取得ステップと、
指定される暗証番号を受け付ける番号受付ステップとを含み、
前記格納ステップでは、
前記番号受付ステップで受け付けられた前記暗証番号と、前記第４の取得ステップで取得された前記暗証番号とが一致する場合に、前記指定ユーザＩＤまたは前記ユーザ情報を格納する
請求項８に記載の情報管理方法。
【請求項１１】
複数の記憶領域を管理する情報管理装置であって、
前記複数の記憶領域を有する機器から、記憶領域ごとに、当該記憶領域に記憶されているユーザに関する情報であるユーザ設定情報を取得するユーザ設定情報取得部と、
指定されるユーザＩＤを指定ユーザＩＤとして受け付ける指定ユーザＩＤ受付部と、
前記指定ユーザＩＤにより特定されるユーザの特徴を示すユーザ情報を取得するユーザ情報取得部と、
前記指定ユーザＩＤおよび前記ユーザ情報と前記複数の記憶領域のそれぞれのユーザ設定情報とに基づき、前記複数の記憶領域のそれぞれに対応付けられる画像を表示する画像表示処理部とを備え、
前記画像表示処理部は、
前記指定ユーザＩＤまたは前記ユーザ情報により特定されるユーザに関するユーザ設定情報を記憶している記憶領域に対しては第１の画像を表示し、
前記指定ユーザＩＤまたは前記ユーザ情報により特定されるユーザとは異なるユーザに関するユーザ設定情報を記憶している記憶領域に対しては、前記第１の画像とは異なる第２の画像を表示し、
ユーザに使用されていないことを示すユーザ設定情報が記憶されている前記記憶領域に対しては、前記第１および第２の画像の何れとも異なる第３の画像を表示する
情報管理装置。
【請求項１２】
複数の記憶領域を管理するためのプログラムであって、
前記複数の記憶領域を有する機器から、記憶領域ごとに、当該記憶領域に記憶されているユーザに関する情報であるユーザ設定情報を取得する第１の取得ステップと、
指定されるユーザＩＤを指定ユーザＩＤとして受け付ける受付ステップと、
前記指定ユーザＩＤにより特定されるユーザの特徴を示すユーザ情報を取得する第２の取得ステップと、
前記指定ユーザＩＤおよび前記ユーザ情報と前記複数の記憶領域のそれぞれのユーザ設定情報とに基づき、前記複数の記憶領域のそれぞれに対応付けられる画像を表示する表示ステップとをコンピュータに実行させ、
前記表示ステップでは、
前記指定ユーザＩＤまたは前記ユーザ情報により特定されるユーザに関するユーザ設定情報を記憶している記憶領域に対しては第１の画像を表示し、
前記指定ユーザＩＤまたは前記ユーザ情報により特定されるユーザとは異なるユーザに関するユーザ設定情報を記憶している記憶領域に対しては、前記第１の画像とは異なる第２の画像を表示し、
ユーザに使用されていないことを示すユーザ設定情報が記憶されている前記記憶領域に対しては、前記第１および第２の画像の何れとも異なる第３の画像を表示する
プログラム。
【請求項１３】
複数の記憶領域を管理するためのプログラムを提供するプログラム提供方法であって、
前記プログラムを保持する保持ステップと、
前記プログラムを提供する提供ステップとを含み、
前記プログラムは、
前記複数の記憶領域を有する機器から、記憶領域ごとに、当該記憶領域に記憶されているユーザに関する情報であるユーザ設定情報を取得する第１の取得ステップと、
指定されるユーザＩＤを指定ユーザＩＤとして受け付ける受付ステップと、
前記指定ユーザＩＤにより特定されるユーザの特徴を示すユーザ情報を取得する第２の取得ステップと、
前記指定ユーザＩＤおよび前記ユーザ情報と前記複数の記憶領域のそれぞれのユーザ設定情報とに基づき、前記複数の記憶領域のそれぞれに対応付けられる画像を表示する表示ステップとをコンピュータに実行させ、
前記表示ステップでは、
前記指定ユーザＩＤまたは前記ユーザ情報により特定されるユーザに関するユーザ設定情報を記憶している記憶領域に対しては第１の画像を表示し、
前記指定ユーザＩＤまたは前記ユーザ情報により特定されるユーザとは異なるユーザに関するユーザ設定情報を記憶している記憶領域に対しては、前記第１の画像とは異なる第２の画像を表示し、
ユーザに使用されていないことを示すユーザ設定情報が記憶されている前記記憶領域に対しては、前記第１および第２の画像の何れとも異なる第３の画像を表示する
プログラム提供方法。
【発明の詳細な説明】
【技術分野】
【０００１】
本発明は、家電機器が有する複数の記憶領域を管理するための情報管理方法、情報管理装置、プログラムおよびプログラム提供方法に関する。
【背景技術】
【０００２】
従来、複数人の体重を各々記憶するメモリを備えた体重計が家電機器として提供されている。また、このような体重計として、現在乗っている人が前述のメモリのどこを使用するかを、測定した体重により判定する手段を備えた体重計が提案されている（例えば、特許文献１参照）。つまり、その手段によってそれぞれのメモリ（記憶領域）が管理され、その手段による情報管理方法では、現在乗っている人に使用されるべきメモリを複数のメモリの中から特定する。
【先行技術文献】
【特許文献】
【０００３】
【特許文献１】特開昭６３−０８５４１１号公報
【発明の概要】
【発明が解決しようとする課題】
【０００４】
しかしながら、上記特許文献１の情報管理方法では、家電機器の各メモリの使用状況が視覚的に分かりにくいという問題がある。【０００５】
そこで、本発明は、かかる問題に鑑みてなされたものであって、複数の記憶領域のそれぞれの使用状況を視覚的に分かり易く提示することが可能な情報管理方法を提供する。
【課題を解決するための手段】
【０００６】
本発明の一態様に係る情報管理方法は、複数の記憶領域を管理するための情報管理方法であって、前記複数の記憶領域を有する機器から、記憶領域ごとに、当該記憶領域に記憶されているユーザに関する情報であるユーザ設定情報を取得する第１の取得ステップと、指定されるユーザＩＤを指定ユーザＩＤとして受け付ける受付ステップと、前記指定ユーザＩＤにより特定されるユーザの特徴を示すユーザ情報を取得する第２の取得ステップと、前記指定ユーザＩＤおよび前記ユーザ情報と前記複数の記憶領域のそれぞれのユーザ設定情報とに基づき、前記複数の記憶領域のそれぞれに対応付けられる画像を表示する表示ステップとを含み、前記表示ステップでは、前記指定ユーザＩＤまたは前記ユーザ情報により特定されるユーザに関するユーザ設定情報を記憶している記憶領域に対しては第１の画像を表示し、前記指定ユーザＩＤまたは前記ユーザ情報により特定されるユーザとは異なるユーザに関するユーザ設定情報を記憶している記憶領域に対しては、前記第１の画像とは異なる第２の画像を表示し、ユーザに使用されていないことを示すユーザ設定情報が記憶されている前記記憶領域に対しては、前記第１および第２の画像の何れとも異なる第３の画像を表示する。【０００７】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００８】
本発明の情報管理方法は、複数の記憶領域のそれぞれの使用状況を視覚的に分かり易く提示することができる。
【図面の簡単な説明】
【０００９】
【図１】図１は、実施の形態１における情報管理装置の構成を示すブロック図である。
【図２】図２は、実施の形態１における情報管理装置の制御フローを示す図である。
【図３】図３は、実施の形態１における図形領域の背景色設定の一例を概念的に示す図である。
【図４】図４は、実施の形態１における登録されているユーザが存在しない場合の図形領域の一覧表示を概念的に示す図である。
【図５】図５は、実施の形態１における受け付けたユーザと一致するユーザが存在する場合の図形領域の一覧表示を概念的に示す図である。
【図６】図６は、実施の形態１における受け付けたユーザと一致しないユーザが存在する場合の図形領域の一覧表示を概念的に示す図である。
【図７】図７は、実施の形態２における情報管理装置の構成を示すブロック図である。
【図８】図８は、実施の形態２における情報管理装置の制御フローを示す図である。
【図９】図９は、実施の形態３における情報管理装置を含むシステムの構成の一例を示す図である。
【図１０】図１０は、実施の形態３におけるダウンロードサーバの構成の一例を示す図である。
【図１１】図１１は、実施の形態３における情報管理装置と家電の構成の一例を示すブロック図である。
【図１２Ａ】図１２Ａは、実施の形態３におけるユーザＩＤの一例を示す図である。
【図１２Ｂ】図１２Ｂは、実施の形態３における家電の機器記憶部に格納されている情報の一例を示す図である。
【図１２Ｃ】図１２Ｃは、実施の形態３における情報管理装置の装置記憶部に格納されている情報の一例を示す図である。
【図１３】図１３は、実施の形態３における装置表示部に表示される登録画面の一例を示す図である。
【図１４】図１４は、実施の形態３におけるスロットに対して生成される画像の背景色の一例を示す図である。
【図１５】図１５は、実施の形態３における装置表示部に表示される登録画面の一例を示す図である。
【図１６】図１６は、実施の形態３における情報管理装置の処理動作を示すフローチャートである。
【図１７】図１７は、実施の形態３の変形例に係る装置表示部に表示される登録画面の一例を示す図である。
【図１８】図１８は、実施の形態３の変形例に係る情報管理装置の処理動作を示すフローチャートである。
【図１９Ａ】図１９Ａは、本発明の一態様に係る情報管理方法のフローチャートを示す図である。
【図１９Ｂ】図１９Ｂは、本発明の一態様に係る情報管理装置の構成を示すブロック図である。
【発明を実施するための形態】
【００１０】
（本発明の基礎となった知見）
本発明者は、「背景技術」の欄において記載した従来の情報管理方法に関し、以下の問題が生じることを見出した。
【００１１】
上記従来の情報管理方法では、現在乗っている人の体重と、複数のメモリのそれぞれに格納されている体重とを比較して、現在乗っている人の体重に最も近い体重を記憶しているメモリを、その現在乗っている人に使用されるべきメモリとして特定する。そして、上記従来の情報管理方法では、その特定されたメモリの番号を表示する。
【００１２】
また、上記従来の情報管理方法を用いた体重計では、メモリスイッチを排除したことにより、メモリスイッチへの操作の手間や不便さをなくすことができ、さらに、体重計の本体を薄くデザインすることができる。
【００１３】
しかし、メモリに空きがあるか否か、どのメモリが空いているか、体重計を使用して体重等を測定する本人がすでにメモリに登録されているか否か、が入力インタフェースでユーザに提示されない。したがって、有限個のメモリがすべて登録済みの場合に既存のユーザ情報に上書きをしなければいけないか否かをユーザは判断できない。その結果、ユーザは不用意に他人のユーザ情報に上書きしてしまったり、誤って重複したユーザ情報を登録してしまうという課題を有する。
【００１４】
つまり、上記従来の情報管理方法では、体重計の操作者に対して特定されたメモリの番号が表示されても、体重計の操作者はそれぞれのメモリの使用状況を知ることができないのである。例えば、体重計を使用するためには、事前に、何れかのメモリへの登録という処理が必要になる場合がある。このような場合、メモリごとに、操作者がそのメモリのユーザとして登録されているか、操作者以外の人がそのメモリのユーザとして登録されているか、何れの人もそのメモリのユーザとして登録されていないかを、操作者は知ることができない。
【００１５】
このような問題を解決するために、本発明の一態様に係る情報管理方法は、複数の記憶領域を管理するための情報管理方法であって、前記複数の記憶領域を有する機器から、記憶領域ごとに、当該記憶領域に記憶されているユーザに関する情報であるユーザ設定情報を取得する第１の取得ステップと、指定されるユーザＩＤを指定ユーザＩＤとして受け付ける受付ステップと、前記指定ユーザＩＤにより特定されるユーザの特徴を示すユーザ情報を取得する第２の取得ステップと、前記指定ユーザＩＤおよび前記ユーザ情報と前記複数の記憶領域のそれぞれのユーザ設定情報とに基づき、前記複数の記憶領域のそれぞれに対応付けられる画像を表示する表示ステップとを含み、前記表示ステップでは、前記指定ユーザＩＤまたは前記ユーザ情報により特定されるユーザに関するユーザ設定情報を記憶している記憶領域に対しては第１の画像を表示し、前記指定ユーザＩＤまたは前記ユーザ情報により特定されるユーザとは異なるユーザに関するユーザ設定情報を記憶している記憶領域に対しては、前記第１の画像とは異なる第２の画像を表示し、ユーザに使用されていないことを示すユーザ設定情報が記憶されている前記記憶領域に対しては、前記第１および第２の画像の何れとも異なる第３の画像を表示する。
【００１６】
これにより、それぞれの記憶領域に対応付けられる画像が、その記憶領域に記憶されているユーザ設定情報によって特定されるユーザと、指定ユーザＩＤまたはユーザ情報によって特定される操作者であるユーザとの関係に応じた態様で表示される。したがって、操作者は、それぞれの記憶領域が他のユーザによって使用されているか、どの記憶領域を既に自らが使用しているかを、視覚的に容易に把握することができる。さらに、どの記憶領域が何れのユーザにも使用されていないかを、視覚的に容易に把握することができる。つまり、複数の記憶領域のそれぞれの使用状況を視覚的に分かり易く提示することができる。
【００１７】
また、前記表示ステップでは、前記複数の記憶領域のうちの何れかの記憶領域において、前記指定ユーザＩＤと、当該記憶領域の前記ユーザ設定情報によって示されるユーザＩＤとが一致する場合、または、前記ユーザ設定情報によってユーザＩＤが示されておらず、且つ、前記ユーザ情報によって示される特徴と、当該記憶領域の前記ユーザ設定情報によって示されるユーザの特徴とが略一致する場合に、当該記憶領域に対して前記第１の画像を表示してもよい。
【００１８】
これにより、操作者の指定ユーザＩＤと一致するユーザＩＤを記憶している記憶領域に対しては第１の画像が表示されるため、操作者は、自らが使用していると断定される記憶領域を容易に見つけることができる。また、記憶領域にユーザＩＤが記憶されていない場合であっても、操作者のユーザ情報によって示される特徴と略一致する特徴を示すユーザ設定情報を記憶している記憶領域に対しては、第１の画像が表示されるため、操作者は、自らが使用していると類推される記憶領域を容易に見つけることができる。
【００１９】
また、前記表示ステップでは、前記複数の記憶領域のうちの何れかの記憶領域において、前記指定ユーザＩＤと、当該記憶領域の前記ユーザ設定情報によって示されるユーザＩＤとが一致しない場合、または、前記ユーザ設定情報によってユーザＩＤが示されておらず、且つ、前記ユーザ情報によって示される特徴と、前記ユーザ設定情報によって示されるユーザの特徴とが略一致しない場合に、当該記憶領域に対して前記第２の画像を表示してもよい。
【００２０】
これにより、操作者の指定ユーザＩＤと一致していないユーザＩＤを記憶している記憶領域に対しては第２の画像が表示されるため、操作者は、他のユーザが使用していると断定される記憶領域を容易に見つけることができる。また、記憶領域にユーザＩＤが記憶されていない場合であっても、操作者のユーザ情報によって示される特徴と略一致しない特徴を示すユーザ設定情報を記憶している記憶領域に対しては、第２の画像が表示されるため、操作者は、他のユーザが使用していると類推される記憶領域を容易に見つけることができる。
【００２１】
また、前記表示ステップでは、前記複数の記憶領域のうちの何れかの記憶領域において、前記指定ユーザＩＤと、当該記憶領域の前記ユーザ設定情報によって示されるユーザＩＤとが一致する場合には、第４の画像を前記第１の画像として表示し、前記ユーザ設定情報によってユーザＩＤが示されておらず、且つ、前記ユーザ情報によって示される特徴と、前記ユーザ設定情報によって示されるユーザの特徴とが略一致する場合には、前記第４の画像とは異なる第５の画像を前記第１の画像として表示してもよい。
【００２２】
これにより、操作者の指定ユーザＩＤと一致するユーザＩＤを記憶している記憶領域に対応付けられる画像と、操作者のユーザ情報によって示される特徴と略一致する特徴を示すユーザ設定情報を記憶している記憶領域に対応付けられる画像とが、視覚的に区別し得る態様で表示される。したがって、操作者は、記憶領域が、自らが使用していると断定される記憶領域か、自らが使用していると類推される記憶領域かを容易に把握することができる。
【００２３】
また、前記表示ステップでは、前記複数の記憶領域のうちの何れかの記憶領域において、前記指定ユーザＩＤと、当該記憶領域の前記ユーザ設定情報によって示されるユーザＩＤとが一致しない場合には、第６の画像を前記第２の画像として表示し、前記ユーザ設定情報によってユーザＩＤが示されておらず、且つ、前記ユーザ情報によって示される特徴と、前記ユーザ設定情報によって示されるユーザの特徴とが略一致しない場合には、前記第６の画像とは異なる第７の画像を前記第２の画像として表示してもよい。
【００２４】
これにより、操作者の指定ユーザＩＤと一致しないユーザＩＤを記憶している記憶領域に対応付けられる画像と、操作者のユーザ情報によって示される特徴と略一致しない特徴を示すユーザ設定情報を記憶している記憶領域に対応付けられる画像とが、視覚的に区別し得る態様で表示される。したがって、操作者は、記憶領域が、他のユーザが使用していると断定される記憶領域か、他のユーザが使用していると類推される記憶領域かを容易に把握することができる。
【００２５】
また、前記情報管理方法は、さらに、前記機器から、記憶領域ごとに、当該記憶領域が使用された履歴を示す履歴情報を取得する第３の取得ステップと、記憶領域ごとに、当該記憶領域に対する優先度を、取得された前記履歴情報を用いて決定する優先度決定ステップとを含み、前記表示ステップでは、さらに、前記複数の記憶領域のそれぞれに対して決定された優先度を示す優先度情報を、前記複数の記憶領域のそれぞれに対応付けて表示してもよい。
【００２６】
これにより、複数の記憶領域のそれぞれに対応付けられる画像と優先度とが表示されるため、例えば同じ画像が表示される場合であっても、それらの画像に対応する優先度を見ることによって、それらの画像に対応付けられる記憶領域の中から、操作者が使用可能な記憶領域を容易に見つけることができる。例えば、優先度の低い記憶領域を、操作者が使用可能な記憶領域として見つけることができる。
【００２７】
また、前記表示ステップでは、前記第１〜第３の画像のそれぞれの、背景色、枠の色、アイコン画像、文字列、または、文字列の色が互いに異なるように、前記第１〜第３の画像を表示してもよい。
【００２８】
これにより、第１〜第３の画像を容易に区別して視認することができる。
【００２９】
また、前記情報管理方法は、さらに、前記表示ステップで表示される複数の画像のうち、指定された画像に対応付けられる記憶領域を選択する選択ステップと、選択された前記記憶領域に、前記指定ユーザＩＤまたは前記ユーザ情報を当該記憶領域のユーザ設定情報として格納する格納ステップとを含んでもよい。
【００３０】
これにより、選択された記憶領域に対して、操作者の指定ユーザＩＤまたはユーザ情報がユーザ設定情報として格納されるため、その記憶領域のユーザとして操作者を登録することができる。
【００３１】
また、前記情報管理方法は、さらに、前記選択ステップにおいて、前記指定ユーザＩＤと一致していないユーザＩＤを示す前記ユーザ設定情報が記憶されている記憶領域が選択された場合に、前記指定ユーザＩＤまたは前記ユーザ情報を格納するか否かを問い合わせる画面を表示する問い合わせ画面表示ステップと、前記画面における問い合わせに対する回答を受け付ける回答受付ステップとを含み、前記格納ステップでは、前記回答受付ステップで、格納を行うことを示す回答が受け付けられた場合に、前記指定ユーザＩＤまたは前記ユーザ情報を格納してもよい。
【００３２】
これにより、操作者が、他のユーザが使用していると断定される記憶領域を選択してしまったときには、操作者の指定ユーザＩＤまたはユーザ情報を格納するか否かを問い合わせる画面が表示される。したがって、操作者が、既に格納されている他のユーザのユーザ設定情報に、その操作者の指定ユーザＩＤなどを新たなユーザ設定情報として、誤って上書きしてしまうことを防ぐことができる。
【００３３】
また、前記情報管理方法は、さらに、選択された前記記憶領域に格納されている暗証番号を取得する第４の取得ステップと、指定される暗証番号を受け付ける番号受付ステップとを含み、前記格納ステップでは、前記番号受付ステップで受け付けられた前記暗証番号と、前記第４の取得ステップで取得された前記暗証番号とが一致する場合に、前記指定ユーザＩＤまたは前記ユーザ情報を格納してもよい。
【００３４】
これにより、暗証番号が一致しない場合には、操作者のユーザＩＤまたはユーザ情報は新たなユーザ設定情報として記憶領域に格納されないため、操作者による不正な登録を防ぐことができる。
【００３５】
また、従来の課題を解決するために、第１の発明である情報管理装置は、使用者を特定するユーザＩＤ及び前記ユーザＩＤにより特定されるユーザに関するユーザ情報の入力を受け付ける受付部と、複数のユーザＩＤとそれぞれのユーザＩＤに対応付けされたユーザ情報とを記憶し、Ｎ個のユーザＩＤまで登録可能なユーザ情報管理部と、前記ユーザＩＤごとに対応付けられたＮ個の図形領域を画面上に一覧表示する表示部と、前記表示部で表示される図形領域を表示するための表示情報を生成する表示情報生成部とを備え、前記表示情報生成部は、受付部で受け付けたユーザＩＤと一致するユーザＩＤに対応付く図形領域と、前記受付部で受け付けたユーザＩＤと一致しないユーザＩＤに対応付く図形領域と、いずれのユーザＩＤにも対応付けられていない図形領域と、がそれぞれ異なった形態となるように表示情報を生成する。
【００３６】
これによって、受付部で受け付けたユーザに対応付けられている状態と、それ以外のユーザに対応付けられている状態と、いずれのユーザにも対応付けられていない状態とを区別して、各ユーザに対応する図形領域を一覧表示できる。
【００３７】
また、複数のユーザ情報を管理する場合において、ユーザに対し、どのスロットに自分のユーザ情報を登録すべきかを判断しやすい情報を提供できる。
【００３８】
このように、第１の発明の情報管理装置は、ユーザ情報管理部に含まれるスロット（記憶領域）へのユーザ情報登録時に、Ｎ個のスロットのうち、空きスロットがいずれであるか、および、各スロットが登録しようとしているユーザ本人のユーザ情報を記憶しているか否かをユーザが視認しやすく表示することで、登録者（操作者）以外のスロットに不用意に登録させない仕組みを提供することができる。
【００３９】
また、家電機器において、ユーザ情報を登録する際に、ユーザの記憶に依存することなく、メモリスイッチを排除しても、ユーザが登録先を選択しやすく、かつ、誤ったユーザ情報登録操作を起こさせないように、利便性の向上を図ることができる。
【００４０】
第２の発明は、特に、第１の発明において、受付部は、直接的な入力と、外部装置による間接的な入力とを受け付けることで、直接的な入力で登録されたユーザＩＤと一致するユーザＩＤに対応付く図形領域と、間接的な入力で登録されたユーザＩＤと一致するユーザＩＤに対応付く図形領域と、がそれぞれ異なった形態となるように表示情報を生成するものである。
【００４１】
これによって、受付部で受け付けた直接的な入力で登録されたユーザと間接的な入力で登録されたユーザとを区別して、各ユーザに対応する図形領域を一覧表示できる。
【００４２】
第３の発明は、特に、第１から第２のいずれか１つの発明において、表示情報生成部が、異なった形態として背景色を用いて識別可能とするように表示情報を生成するものである。
【００４３】
これによって、ユーザの区別をよりユーザが視覚的に判別しやすい表現で図形領域を一覧表示できる。
【００４４】
第４の発明は、特に、第１から第２のいずれか１つの発明において、表示情報生成部が、異なった形態として枠の色を用いて識別可能とするように表示情報を生成するものである。
【００４５】
これによって、ユーザの区別をよりユーザが視覚的に判別しやすい表現で図形領域を一覧表示できる。
【００４６】
第５の発明は、特に、第１から第２のいずれか１つの発明において、表示情報生成部が、異なった形態としてアイコン画像を用いて識別可能とするように表示情報を生成するものである。
【００４７】
これによって、ユーザの区別をよりユーザが視覚的に判別しやすい表現で図形領域を一覧表示できる。
【００４８】
第６の発明は、特に、第１から第２のいずれか１つの発明において、表示情報生成部が、異なった形態として図形領域に記載する文字列を用いて識別可能とするように表示情報を生成するものである。
【００４９】
これによって、ユーザの区別をよりユーザが視覚的に判別しやすい表現で図形領域を一覧表示できる。
【００５０】
第７の発明は、特に、第１から第２のいずれか１つの発明において、表示情報生成部が、異なった形態として図形領域に記載する文字列の文字色を用いて識別可能とするように表示情報を生成するものである。
【００５１】
これによって、ユーザの区別をよりユーザが視覚的に判別しやすい表現で図形領域を一覧表示できる。
【００５２】
第８の発明は、特に、第１から第７のいずれか１つの発明において、受付部で受け付けたユーザＩＤと領域特定情報が示すユーザＩＤとが一致する場合は、受付部で受け付けたユーザ情報を登録または更新するものである。
【００５３】
これによって、受付部で受け付けたユーザのみが自分のユーザ情報を変更できる。
【００５４】
第９の発明は、特に、第８の発明において、受付部で受け付けたユーザＩＤと領域特定情報が示すユーザＩＤとが一致しない場合は、受付部で受け付けたユーザ情報を登録または更新してもよいか否かを問う画面に関する表示情報を生成するものである。
【００５５】
これによって、受付部で受け付けたユーザが自分以外のユーザ情報を変更する際に不用意に変更することを防止できる。
【００５６】
第１０の発明は、特に、第８から第９のいずれか１つの発明において、ユーザＩＤとユーザ情報、暗証番号とを対応付けて、領域特定情報が示すユーザＩＤと対応付けられている暗証番号と、受付部で受け付けた暗証番号とが一致した場合にのみ、受付部で受け付けたユーザ情報を登録または更新するものである。
【００５７】
これによって、ユーザ情報を変更する際に不当なユーザによる変更を防止できる。
【００５８】
第１１の発明は、表示画面生成方法であって、使用者を特定するユーザＩＤ及び前記ユーザＩＤにより特定されるユーザに関するユーザ情報の入力を受け付ける受付ステップと、複数のユーザＩＤとそれぞれのユーザＩＤに対応付けされたユーザ情報とを記憶し、Ｎ個のユーザＩＤまで登録可能なユーザ情報管理部を用いて、前記ユーザＩＤごとに対応付けられたＮ個の図形領域を画面上に一覧表示する表示ステップと、表示される図形領域を表示するための表示情報を生成する表示情報生成ステップとを行い、前記表示情報生成ステップでは、受付ステップで受け付けたユーザＩＤと一致するユーザＩＤに対応付く図形領域と、受付ステップで受け付けたユーザＩＤと一致しないユーザＩＤに対応付く図形領域と、いずれのユーザＩＤにも対応付けられていない図形領域と、がそれぞれ異なった表示形態となるように表示情報を生成する。
【００５９】
これによって、登録されているユーザ情報を画面上に一覧表示する際に、ユーザの登録状況をユーザに提示可能となる。
【００６０】
以下、実施の形態について、図面を参照しながら具体的に説明する。
【００６１】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００６２】
（実施の形態１）
図１は、実施の形態１における情報管理装置の構成を示すブロック図である。
【００６３】
図１において、情報管理装置１０１は、受付部１００１、ユーザ情報管理部１００２、表示情報生成部１００３、および表示部１００４を備えている。
【００６４】
受付部１００１は、使用者を特定するユーザＩＤ及びユーザＩＤにより特定されるユーザに関するユーザ情報の入力を受け付ける。受付部１００１は、受け付けたユーザＩＤを表示情報生成部１００３に送出する。
【００６５】
ユーザ情報管理部１００２は、複数のユーザＩＤとそれぞれのユーザＩＤに対応付けされたユーザ情報とを記憶し、Ｎ個のユーザＩＤまで登録可能である。
【００６６】
表示情報生成部１００３は、受付部１００１から受け付けたユーザＩＤを取得し、ユーザ情報管理部１００２から登録されているＮ個すべてのユーザに関するユーザＩＤを取得する。さらに、表示情報生成部１００３は、Ｎ個すべてのユーザに対し、受付部で受け付けたユーザＩＤと一致するユーザＩＤに対応付く図形領域と、受付部で受け付けたユーザＩＤと一致しないユーザＩＤに対応付く図形領域と、いずれのユーザＩＤにも対応付けられていない図形領域と、がそれぞれ異なった形態となるように表示情報を生成する。さらに、表示情報生成部１００３は、生成した表示情報を表示部１００４に送出する。
【００６７】
表示部１００４は、表示情報生成部１００３から取得した表示情報をもとにユーザＩＤごとに対応付けられたＮ個の図形領域を画面上に一覧表示する。
【００６８】
かかる構成によれば、情報管理装置１０１では、表示情報生成部１００３が、Ｎ個すべてのユーザに対し、受付部１００１で受け付けたユーザＩＤと一致するユーザＩＤに対応付く図形領域と、受付部１００１で受け付けたユーザＩＤと一致しないユーザＩＤに対応付く図形領域と、いずれのユーザＩＤにも対応付けられていない図形領域と、がそれぞれ異なった形態となるように表示情報を生成する。そして、表示部１００４が、表示情報生成部１００３から取得した表示情報をもとにユーザＩＤごとに対応付けられたＮ個の図形領域を画面上に一覧表示することができる。
【００６９】
これによって、受付部１００１で受け付けたユーザに対応付けられている状態と、それ以外のユーザに対応付けられている状態と、いずれのユーザにも対応付けられていない状態とを区別して、各ユーザに対応する図形領域を一覧表示することが可能となる。
【００７０】
図２は、実施の形態１における情報管理装置１０１の制御フローを示す図である。
【００７１】
図２において、まず、受付部１００１は、使用者を特定するユーザＩＤ及びユーザＩＤにより特定されるユーザに関するユーザ情報の入力を受け付け、受け付けたユーザＩＤを表示情報生成部１００３に送出する（ステップＳ１００１）。
【００７２】
ユーザ情報管理部１００２は、複数のユーザＩＤとそれぞれのユーザＩＤに対応付けされたユーザ情報とを記憶し、Ｎ個のユーザＩＤまで登録可能である。ユーザＩＤおよびユーザ情報の登録先メモリを以下ではスロットと呼ぶこととし、ユーザ情報管理部１００２はＮ個のスロットを管理している。
【００７３】
次に、表示情報生成部１００３は、ユーザ情報管理部１００２から、登録されているＮ個のスロットに対するユーザＩＤを取得し、以後、各スロットのユーザＩＤをチェックしていく。そのためにスロット番号Ｘを０に設定する（ステップＳ１００２）。
【００７４】
次に、表示情報生成部１００３は、すべてのスロットのチェックが完了したか否かを判定する。具体的には、スロット番号ＸがＮ−１であれば、すべてのスロットのユーザＩＤのチェックが完了したとして、ステップＳ１０１０に進み、スロット番号ＸがＮ−１でなければ、ステップＳ１００４に進む（ステップＳ１００３）。
【００７５】
次に、表示情報生成部１００３は、スロット番号ＸのスロットにユーザＩＤが登録（格納または記憶）されているか否か、すなわちそのスロットが空きスロットか否かを判定し、スロット番号Ｘのスロットが空きスロットであれば、ステップＳ１００８に進み、スロット番号Ｘのスロットが空きスロットでなければ、ステップＳ１００５に進む（ステップＳ１００４）。
【００７６】
次に、表示情報生成部１００３は、受付部１００１が受け付けたユーザＩＤとスロット番号ＸのスロットのユーザＩＤが一致するか否かを比較し、ユーザＩＤが一致するなら、ステップＳ１００６に進み、ユーザＩＤが一致しないなら、ステップＳ１００７に進む（ステップＳ１００５）。
【００７７】
次に、表示情報生成部１００３は、ステップＳ１００４で、スロット番号Ｘのスロットが空きスロットであると判定された場合には、表示情報である、スロット番号Ｘのスロットに対する図形領域の背景色を、ユーザ未登録を示す背景色に設定する（ステップＳ１００８）。また、表示情報生成部１００３は、ステップＳ１００５で、受付部１００１が受け付けたユーザＩＤとスロット番号ＸのスロットのユーザＩＤが一致すると判定された場合には、表示情報である、スロット番号Ｘのスロットに対する図形領域の背景色を、入力者本人を示す背景色に設定する（ステップＳ１００６）。一方、表示情報生成部１００３は、ユーザＩＤが一致しないと判定された場合には、表示情報である、スロット番号Ｘのスロットに対する図形領域の背景色を、入力者以外のユーザを示す背景色に設定する（ステップＳ１００７）。ステップＳ１００６、ステップＳ１００７、ステップＳ１００８の処理を終えた後は、ステップＳ１００９に進む。
【００７８】
表示情報生成部１００３は、表示情報である、スロット番号Ｘのスロットに対する図形領域に対して、背景色が設定された後に（ステップＳ１００６、Ｓ１００７、Ｓ１００８）、次のスロットのチェックを行うためにＸに１を加算し、ステップＳ１００３に戻る（ステップＳ１００９）。
【００７９】
表示情報生成部１００３は、ステップＳ１００３において、すべてのスロットのユーザＩＤのチェックが完了したと判定した場合（スロット番号ＸがＮ−１と一致した場合）に、チェックを終えたＮ個のすべてのスロットに対する図形領域に設定された背景色（ステップＳ１００６、Ｓ１００７、Ｓ１００８）の結果をもとに、表示部１００４で表示するための表示情報を生成し、表示部１００４に送出する（ステップＳ１０１０）。
【００８０】
最後に、表示部１００４は、表示情報生成部１００３から取得した表示情報をもとにユーザＩＤごとに対応付けられたＮ個の図形領域を画面上に一覧表示する（ステップＳ１０１１）。
【００８１】
図３は、ステップＳ１００６、ステップＳ１００７、およびステップＳ１００８において設定される図形領域の背景色の一例を概念的に示す図である。図３において、図形領域９０００１、図形領域９０００２、および図形領域９０００３は、それぞれ、ユーザ未登録を示す背景色（白）に設定された図形領域、受け付けたユーザ本人を示す背景色（黒）に設定された図形領域、受け付けたユーザ以外を示す背景色（斜線）に設定された図形領域の一例を示している。図３に示すように、各スロットの状態に対し、各図形領域がそれぞれ異なった形態となるように表示情報が生成される。 
【００８２】
図４、図５、および図６は、ユーザ情報管理部１００２の管理可能なスロット数Ｎが４のときの図形領域の一覧表示を概念的に示す図である。各図の図形領域の背景色は、図３に示す、図形領域の背景色に基づいている。
【００８３】
図４は、登録されているユーザが存在しない場合の図形領域の一覧表示を概念的に示す図である。すなわち、この図４は、ユーザＩＤがすべてのスロットに登録されていない場合の図形領域の一覧表示を示したものである。言い換えれば、図４は、受付部１００１で受け付けたユーザＩＤと一致するユーザＩＤが登録してあるスロット、および、受付部１００１で受け付けたユーザＩＤと一致しないユーザＩＤが登録してあるスロットがいずれも存在せず、すべてのスロットがいずれのユーザＩＤにも対応付けられていない場合の図形領域の一覧表示を示したものである。具体的には、スロット一覧表示画面１００００上に、スロット１に対する図形領域１０００１、スロット２に対する図形領域１０００２、スロット３に対する図形領域１０００３、およびスロット４に対する図形領域１０００４が一覧表示されている。図形領域１０００１、図形領域１０００２、図形領域１０００３、および図形領域１０００４はいずれもユーザ未登録を示す背景色で表示されている。
【００８４】
図５は、受け付けたユーザと一致するユーザが存在する場合の図形領域の一覧表示を概念的に示す図である。すなわち、この図５に示す図形領域の一覧表示では、スロット１は受付部１００１で受け付けたユーザＩＤと一致するユーザＩＤが登録してあるスロットとして表示され、スロット２、スロット３、およびスロット４はいずれのユーザＩＤにも対応付けられていないスロットとして表示されている。具体的には、スロット一覧表示画面２００００上に、スロット１に対する図形領域２０００１、スロット２に対する図形領域２０００２、スロット３に対する図形領域２０００３、およびスロット４に対する図形領域２０００４が一覧表示されている。図形領域２０００１は、受け付けたユーザ本人を示す背景色で表示されており、図形領域１０００２、図形領域１０００３、図形領域１０００４はいずれもユーザ未登録を示す背景色で表示されている。
【００８５】
図６は、受け付けたユーザと一致しないユーザが存在する場合の図形領域の一覧表示を概念的に示す図である。すなわち、この図６に示す図形領域の一覧表示では、スロット１およびスロット２は受付部１００１で受け付けたユーザＩＤと一致しないユーザＩＤが登録してあるスロットとして表示され、スロット３およびスロット番号４はいずれのユーザＩＤにも対応付けられていないスロットとして表示されている。具体的には、スロット一覧表示画面３００００上に、スロット番号１に対する図形領域３０００１、スロット番号２に対する図形領域３０００２、スロット番号３に対する図形領域３０００３、およびスロット番号４に対する図形領域３０００４が一覧表示されている。図形領域３０００１および図形領域３０００２は、受け付けたユーザ以外を示す背景色で表示されており、図形領域３０００３および図形領域３０００４はいずれもユーザ未登録を示す背景色で表示されている。
【００８６】
以上により、情報管理装置１０１は、受付部１００１で受け付けたユーザに対応付けられている状態と、それ以外のユーザに対応付けられている状態と、いずれのユーザにも対応付けられていない状態とを区別して、各ユーザに対応する図形領域を一覧表示することが可能となる。
【００８７】
（実施の形態２）
図７は、実施の形態２における情報管理装置の構成を示すブロック図である。
【００８８】
図７において、情報管理装置２０１は、受付部２００１、ユーザ情報管理部２００２、表示情報生成部２００３、および表示部２００４を備えている。
【００８９】
また、図７中の外部装置２０２は、通信によって情報管理装置２０１に対し、遠隔的に操作を行う装置である。
【００９０】
受付部２００１は、その受付部２００１への直接的な入力と、外部装置２０２による間接的な入力を受け付けることができ、これら直接的な入力または間接的な入力によって、使用者を特定するユーザＩＤ及びユーザＩＤにより特定されるユーザに関するユーザ情報の入力を受け付ける。受付部２００１は、受け付けたユーザＩＤを表示情報生成部２００３に送出する。
【００９１】
ユーザ情報管理部２００２は、複数のユーザＩＤとそれぞれのユーザＩＤに対応付けされたユーザ情報とを記憶し、Ｎ個のユーザＩＤまで登録可能である。さらに、ユーザ情報管理部２００２は、ユーザＩＤ及び前記ユーザＩＤに対応付けされたユーザ情報が直接的な入力か間接的な入力かを判定するための入力方法判定情報を記憶する。
【００９２】
表示情報生成部２００３は、受付部２００１から受け付けたユーザＩＤを取得し、ユーザ情報管理部２００２から登録されているＮ個すべてのユーザに関するユーザＩＤおよび入力方法判定情報を取得する。さらに、表示情報生成部２００３は、Ｎ個すべてのユーザに対し、直接的な入力で登録されたユーザＩＤと一致するユーザＩＤに対応付く図形領域と、間接的な入力で登録されたユーザＩＤと一致するユーザＩＤに対応付く図形領域と、がそれぞれ異なった形態となるように表示情報を生成する。さらに、表示情報生成部２００３は、生成した表示情報を表示部２００４に送出する。
【００９３】
表示部２００４は、表示情報生成部２００３から取得した表示情報をもとにユーザＩＤごとに対応付けられたＮ個の図形領域を画面上に一覧表示する。
【００９４】
かかる構成によれば、情報管理装置２０１では、表示情報生成部２００３が、Ｎ個すべてのユーザに対し、直接的な入力で登録されたユーザＩＤと一致するユーザＩＤに対応付く図形領域と、間接的な入力で登録されたユーザＩＤと一致するユーザＩＤに対応付く図形領域と、がそれぞれ異なった形態となるように表示情報を生成する。そして、表示部２００４が、表示情報生成部２００３から取得した表示情報をもとにユーザＩＤごとに対応付けられたＮ個の図形領域を画面上に一覧表示することができる。
【００９５】
これによって、直接的な入力で登録したユーザ情報と間接的な入力で登録したユーザ情報とを区別して、各ユーザに対応する図形領域を一覧表示することが可能となる。
【００９６】
図８は、実施の形態２における情報管理装置２０１の制御フローを示す図である。
【００９７】
図８において、まず、受付部２００１は、その受付部２００１への直接的な入力、または、外部装置２０２による間接的な入力として、使用者を特定するユーザＩＤ及びユーザＩＤにより特定されるユーザに関するユーザ情報の入力を受け付ける。そして受付部２００１は、受け付けたユーザＩＤを表示情報生成部２００３に送出する（ステップＳ２００１）。
【００９８】
ユーザ情報管理部２００２は、複数のユーザＩＤとそれぞれのユーザＩＤに対応付けされたユーザ情報とを記憶し、Ｎ個のユーザＩＤまで登録可能である。さらに、ユーザ情報管理部２００２は、ユーザＩＤ及び前記ユーザＩＤに対応付けされたユーザ情報が直接的な入力か間接的な入力かを判定するための入力方法判定情報を記憶する。ユーザＩＤおよびユーザ情報および入力方法判定情報の登録先メモリを以下ではスロットと呼ぶこととし、ユーザ情報管理部２００２はＮ個のスロットを管理している。
【００９９】
次に、表示情報生成部２００３は、ユーザ情報管理部２００２から、登録されているＮ個のスロットに対するユーザＩＤおよび入力方法判定情報を取得し、以後、各スロットのユーザＩＤおよび入力方法判定情報をチェックしていく。そのためにスロット番号Ｘを０に設定する（ステップＳ２００２）。
【０１００】
次に、表示情報生成部２００３は、すべてのスロットのチェックが完了したか否かを判定する。具体的には、スロット番号ＸがＮ−１であれば、すべてのスロットのユーザＩＤのチェックが完了したとして、ステップＳ２０１０に進み、スロット番号ＸがＮ−１でなければ、ステップＳ２００４に進む（ステップＳ２００３）。
【０１０１】
次に、表示情報生成部２００３は、スロット番号ＸのスロットにユーザＩＤが登録（格納または記憶）されているか否か、すなわちそのスロットが空きスロットか否かを判定し、スロット番号Ｘのスロットが空きスロットであれば、ステップＳ２００８に進み、スロット番号Ｘのスロットが空きスロットでなければ、ステップＳ２００５に進む（ステップＳ２００４）。
【０１０２】
次に、表示情報生成部２００３は、スロット番号Ｘのスロットの入力方法判定情報が直接的な入力を示すか間接的な入力を示すかをチェックし、直接的な入力であれば、ステップＳ２００６に進み、間接的な入力であれば、ステップＳ２００７に進む（ステップＳ２００５）。
【０１０３】
次に、表示情報生成部２００３は、ステップＳ２００４で、スロット番号Ｘのスロットが空きスロットであると判定された場合には、表示情報である、スロット番号Ｘのスロットに対する図形領域の背景色を、ユーザ未登録を示す背景色に設定する（ステップＳ２００８）。また、表示情報生成部２００３は、ステップＳ２００５で、スロット番号Ｘのスロットの入力方法判定情報が直接的な入力を示すと判定された場合には、表示情報である、スロット番号Ｘのスロットに対する図形領域の背景色を、直接的な入力を示す背景色に設定する（ステップＳ２００６）。一方、表示情報生成部２００３は、間接的な入力を示すと判定された場合には、表示情報である、スロット番号Ｘのスロットに対する図形領域の背景色を、間接的な入力を示す背景色に設定する（ステップＳ２００７）。ステップＳ２００６、ステップＳ２００７、ステップＳ２００８の処理を終えた後は、ステップＳ２００９に進む。
【０１０４】
表示情報生成部２００３は、表示情報である、スロット番号Ｘのスロットに対する図形領域に対して、背景色が設定された後に（ステップＳ２００６、Ｓ２００７、Ｓ２００８）、次のスロットのチェックを行うためにＸに１を加算し、ステップＳ２００３に戻る（ステップＳ２００９）。
【０１０５】
表示情報生成部２００３は、ステップＳ２００３において、すべてのスロットのユーザＩＤのチェックが完了したと判定した場合（スロット番号ＸがＮ−１と一致した場合）に、チェックを終えたＮ個のすべてのスロットに対する図形領域に設定された背景色（ステップＳ２００６、Ｓ２００７、Ｓ２００８）の結果をもとに、表示部２００４で表示するための表示情報を生成し、表示部２００４に送出する（ステップＳ２０１０）。
【０１０６】
最後に、表示部２００４は、表示情報生成部２００３から取得した表示情報をもとにユーザＩＤごとに対応付けられたＮ個の図形領域を画面上に一覧表示する。
【０１０７】
これによって、直接的な入力で登録したユーザ情報と間接的な入力で登録したユーザ情報とを区別して、各ユーザに対応する図形領域を一覧表示することが可能となる。
【０１０８】
（実施の形態１または２の変形例）
なお、実施の形態１乃至２において、表示情報生成部１００３または表示情報生成部２００３が、各図形領域を異なった形態となるように表示情報を生成する際に、各図形領域の異なった背景色、枠の色、アイコン画像、文字列、または文字列の文字色、を用いて各スロットの状態が識別可能となるように、表示情報を生成するとしてもよい。これによって、各スロットの状態（ユーザ）の区別をよりユーザが視覚的に判別しやすい表現で図形領域を一覧表示できるようになる。 
【０１０９】
なお、実施の形態１乃至２において、表示情報生成部１００３、または、表示情報生成部２００３が、スロットがいずれのユーザＩＤにも対応付けられていない（空きスロットである）ことを判定するために、ユーザＩＤが登録されているか否か（空きスロットか否か）を判定したが、スロットにユーザ情報が登録されているか否かを判定してもよいし、さらにユーザ情報に所定の情報が登録されているか否かを判定してもよいし、ユーザＩＤおよびユーザ情報以外の情報（例えば、ユーザ未登録か否か、あるいは空きスロットか否かを示す情報）を別途設けて、その情報によって判定してもよい。
【０１１０】
なお、実施の形態１乃至２において、受付部１００１または受付部２００１が、ユーザＩＤ及びユーザ情報とともに、表示部１００４または表示部２００４に表示される図形領域に対応するユーザＩＤである領域特定情報を受付け、ユーザ情報管理部１００２またはユーザ情報管理部２００２が、受付部１００１または受付部２００１で受け付けたユーザＩＤと領域特定情報が示すユーザＩＤとが一致する場合は、受付部１００１または受付部２００１で受け付けたユーザ情報を登録または更新する機能を設けてもよい。
【０１１１】
これによって、受付部１００１または受付部２００１で受け付けたユーザが自分以外のユーザ情報を変更する際に不用意に変更することを防止できる。これに加えてさらに、表示部１００４または表示部２００４が、受付部１００１または受付部２００１で受け付けたユーザＩＤと領域特定情報が示すユーザＩＤとが一致しない場合は、受付部１００１または受付部２００１で受け付けたユーザ情報を登録または更新してもよいか否かを問う画面に関する表示情報を生成してもよい。
【０１１２】
これによって、受付部で受け付けたユーザが自分以外のユーザ情報を変更する際に不用意に変更することを防止できる。これに加えてさらに、受付部１００１または受付部２００１はさらに暗証番号を受付けるものとし、ユーザ情報管理部１００２またはユーザ情報管理部２００２は、ユーザＩＤとユーザ情報と暗証番号とを対応付けて記憶し、ユーザ情報管理部１００２またはユーザ情報管理部２００２は、領域特定情報が示すユーザＩＤと対応付けられている暗証番号と、受付部１００１または受付部２００１で受け付けた暗証番号とが一致した場合にのみ、受付部１００１または受付部２００１で受け付けたユーザ情報を登録または更新してもよい。これによって、ユーザ情報を変更する際に不当なユーザによる変更を防止できる。
【０１１３】
なお、実施の形態２の情報管理装置２０１と外部装置２０２との間の通信は、有線による通信でもよいし、ＩＣチップとＩＣリーダライタによる通信でもよいし、赤外線、Ｗｉ−Ｆｉ、ＢｌｕｅＴｏｏｔｈ（登録商標）などの無線通信でもよく、データを通信できる手段であればいかなる手段を用いてもよい。
【０１１４】
なお、実施の形態２の情報管理装置２０１において、表示情報生成部２００３は、直接的な入力で登録されたユーザＩＤと一致するユーザＩＤに対応付く図形領域と、間接的な入力で登録されたユーザＩＤと一致するユーザＩＤに対応付く図形領域と、それら以外にも、受付部で受け付けたユーザＩＤと一致するユーザＩＤに対応付く図形領域と、受付部で受け付けたユーザＩＤと一致しないユーザＩＤに対応付く図形領域と、いずれのユーザＩＤにも対応付けられていない図形領域とが、それらのすべての条件の和や積が区別できるように、それぞれ異なった形態となるように、表示情報を生成してもよい。
【０１１５】
なお、実施の形態１において、表示部１００４が、情報管理装置１０１内部の機能としてではなく、外部装置２０２の機能として実現されていてもよい。また、実施の形態１において、表示部１００４および表示情報生成部１００３が、情報管理装置１０１内部の機能としてではなく、外部装置２０２の機能として実現されていてもよい。
【０１１６】
なお、実施の形態２において、表示部２００４が、情報管理装置２０１内部の機能としてではなく、外部装置２０２の機能として実現されていてもよい。また、実施の形態２において、表示部２００４および表示情報生成部２００３が、情報管理装置２０１内部の機能としてではなく、外部装置２０２の機能として実現されていてもよい。
【０１１７】
（実施の形態３）
本実施の形態における情報管理装置は、スロットのそれぞれについて、そのスロットとその情報管理装置の操作者との関係をより詳細に示す画像を表示することに特徴がある。
【０１１８】
図９は、本実施の形態にける情報管理装置を含むシステムの構成の一例を示す図である。
【０１１９】
このシステムは、情報管理装置３００、ダウンロードサーバ４００および家電（機器）５００を備える。
【０１２０】
家電５００は、例えば体組成計として構成され、上述の複数のスロット（記憶領域）を有する。これらのスロットには、そのスロットを使用しているユーザのユーザＩＤ、そのユーザの特徴を示すユーザ情報、または、そのユーザに対して家電５００によって得られた情報（例えば測定情報）などが、そのスロットの使用状況に応じて格納されている。
【０１２１】
また、家電５００は、例えばＮＦＣ（Ｎｅａｒ  Ｆｉｅｌｄ  Ｃｏｍｍｕｎｉｃａｔｉｏｎ）などの近距離無線によって情報管理装置３００と通信する。なお、家電５００と情報管理装置３００との間の通信は、実施の形態２と同様に、有線による通信でもよいし、ＩＣチップとＩＣリーダライタによる通信でもよいし、赤外線、Ｗｉ−Ｆｉ、Ｂｌｕｅｔｏｏｔｈ（登録商標）などの無線通信でもよく、データを通信できる手段であればいかなる手段を用いてもよい。
【０１２２】
ダウンロードサーバ４００は、家電５００を操作するためのアプリケーションプログラムを情報管理装置３００に提供する。
【０１２３】
情報管理装置３００は、サーバ３００ｂと、インターネットなどの通信網３００ｃを介してそのサーバ３００ｂと接続可能な携帯端末３００ａとを備える。携帯端末３００ａは、例えばスマートフォン（高機能携帯電話）として構成され、通信網３００ｃを介してダウンロードサーバ４００から上述のアプリケーションプログラムを取得する。携帯端末３００ａは、そのアプリケーションプログラムを実行することによって、家電５００と通信し、その家電５００を操作または制御する。
【０１２４】
ここで、家電５００のスロットが使用される場合には、そのスロットを使用するユーザの登録が行われる。つまり、上述のユーザＩＤまたはユーザ情報がスロットに格納されることによって、そのユーザＩＤまたはユーザ情報により特定されるユーザが、そのスロットのユーザとして登録される。例えば、ユーザ情報はユーザの年齢、性別または身長であり、上述の測定情報は体重である。このようなユーザ情報と測定情報がスロットに格納されていれば、家電５００は、これらの情報を用いて、そのスロットのユーザに対して、基礎代謝またはＢＭＩ（Ｂｏｄｙ  Ｍａｓｓ  Ｉｎｄｅｘ）などを提示することができる。
【０１２５】
上述の登録には、操作者が家電５００に対して直接登録を行う第１の登録態様と、操作者が情報管理装置３００を介して家電５００への間接的な登録を行う第２の登録態様とがある。
【０１２６】
第１の登録態様では、図９に示すように、操作者であるユーザＡは、家電５００を操作することによって、家電５００のスロットにユーザ情報を直接的に格納（設定）する。その結果、ユーザＡがそのスロットのユーザとして登録される。
【０１２７】
第２の登録態様では、図９に示すように、操作者であるユーザＢは、携帯端末３００ａを操作することによって、家電５００のスロットにユーザＢのユーザＩＤおよびユーザ情報を格納（設定）する。その結果、ユーザＢがそのスロットのユーザとして登録される。具体的には、携帯端末３００ａは、操作者であるユーザＢのユーザＩＤおよびユーザ情報を取得するとともに、家電５００が有する複数のスロットのそれぞれに格納されているユーザＩＤまたはユーザ情報を含む情報をユーザ設定情報としてその家電５００から取得する。携帯端末３００ａは、それらの取得された情報に応じて、複数のスロットのそれぞれに対応する画像を表示する。つまり、携帯端末３００ａは、スロットのそれぞれについて、そのスロットと操作者との関係をより詳細に示す画像を表示する。このような画像が表示されることによって、操作者であるユーザＢは、何れかのスロットのユーザとしてユーザＢが既に登録されているか否か、他のユーザが登録されているかなどを適切に判断することができる。そして、携帯端末３００ａは、何れかのスロットがユーザＢによって選択されると、ユーザＢの先に取得されたユーザＩＤおよびユーザ情報をそのスロットに格納する。
【０１２８】
図１０は、本実施の形態におけるダウンロードサーバ４００の構成の一例を示す図である。
【０１２９】
ダウンロードサーバ４００は、アプリケーションプログラム記憶部４０１と、アプリケーションプログラム送信部４０２とを備える。アプリケーションプログラム記憶部４０１は、家電５００を操作するためのアプリケーションプログラムなどを格納している。アプリケーションプログラム送信部４０２は、そのアプリケーションプログラム記憶部４０１に格納されているアプリケーションプログラムを読み出して、通信網３００ｃを介してそのアプリケーションプログラムを携帯端末３００ａに送信する。また、アプリケーションプログラム記憶部４０１に格納されているアプリケーションプログラムが最新のものに更新されると、アプリケーションプログラム送信部４０２は、その最新のアプリケーションプログラムを携帯端末３００ａに送信する。
【０１３０】
図１１は、本実施の形態における情報管理装置３００と家電５００の構成の一例を示すブロック図である。
【０１３１】
家電５００は、機器受付部５０１、機器表示部５０２、機器記憶部５０３、機器登録部５０４、機器データ送信部５０５、および機器データ受信部５０６を備える。
【０１３２】
機器受付部５０１は、操作者（ユーザ）によって入力される情報（入力情報）を受け付け、その受け付けられた入力情報を機器登録部５０４に通知する。
【０１３３】
機器表示部５０２は、例えば液晶ディスプレイなどからなり、機器登録部５０４による制御にしたがって、例えば各スロットに格納されている各種の情報に基づく画像をその液晶ディスプレイに表示する。
【０１３４】
機器記憶部５０３は、例えばハードディスクまたは不揮発性メモリなどの記録媒体からなり、上述の複数の記憶領域であるスロットを有する。
【０１３５】
機器データ受信部５０６は、情報管理装置３００から入力情報を取得し、その入力情報を機器登録部５０４に出力する。
【０１３６】
機器登録部５０４は、機器受付部５０１から入力情報を取得すると、機器記憶部５０３にある何れかのスロットにその入力情報を格納する。これによって、上述の第１の登録態様にしたがった登録が行われる。また、機器登録部５０４は、機器データ受信部５０６を介して情報管理装置３００から入力情報を取得すると、機器記憶部５０３にある何れかのスロットにその入力情報を格納する。これによって、上述の第２の登録態様にしたがった登録が行われる。
【０１３７】
さらに、機器登録部５０４は、家電５００に含まれる他の構成要素によって、操作者の測定情報が取得された場合には、その測定情報をその操作者のスロットに格納する。つまり、家電５００が体組成計として構成されている場合には、その操作者の体重などが測定される。機器登録部５０４は、その体重を示す測定情報をスロットに格納する。
【０１３８】
機器データ送信部５０５は、機器記憶部５０３にある複数のスロットのそれぞれに格納されている情報を情報管理装置３００に送信する。
【０１３９】
情報管理装置３００は、装置受付部３０１、装置表示部３０２、装置記憶部３０３、装置登録部３０４、装置データ送信部３０５、装置データ受信部３０６、およびユーザ特定部３０７を備える。なお、これらの構成要素のうち、装置受付部３０１、装置表示部３０２、装置データ送信部３０５、および装置データ受信部３０６は、例えば携帯端末３００ａに備えられる。また、装置記憶部３０３、装置登録部３０４またはユーザ特定部３０７は、サーバ３００ｂに備えられていてもよく、携帯端末３００ａに備えられていてもよい。
【０１４０】
装置受付部３０１は、操作者（ユーザ）によって入力される情報（入力情報）を受け付け、その受け付けられた入力情報を装置登録部３０４およびユーザ特定部３０７のうちの少なくとも一方に通知する。
【０１４１】
装置表示部３０２は、例えば液晶ディスプレイなどからなり、ユーザ特定部３０７による制御にしたがって、例えば各スロットに格納されている各種の情報に基づく画像をその液晶ディスプレイに表示する。
【０１４２】
装置記憶部３０３は、例えば不揮発性メモリなどの記録媒体からなる。なお、この装置記憶部３０３がサーバ３００ｂに備えられている場合には、装置記憶部３０３と、装置登録部３０４およびユーザ特定部３０７との間では、上述の通信網３００ｃを介して情報の送受信が行われる。また、この装置記憶部３０３は、例えば、ユーザごとに、そのユーザのユーザＩＤおよびユーザ情報などを格納している。同様に、装置登録部３０４およびユーザ特定部３０７がサーバ３００ｂに備えられている場合には、装置登録部３０４およびユーザ特定部３０７と、装置登録部３０４およびユーザ特定部３０７のそれぞれと情報の送受信を行う携帯端末３００ａに備えられている各部との間では、上述の通信網３００ｃを介して情報の送受信が行われる。
【０１４３】
装置データ送信部３０５は、ユーザ特定部３０７および装置登録部３０４から出力される情報を取得し、その情報を家電５００の機器データ受信部５０６に入力情報として送信する。
【０１４４】
装置データ受信部３０６は、家電５００の機器データ送信部５０５から送信される情報を受信し、その情報をユーザ特定部３０７に出力する。
【０１４５】
装置登録部３０４は、装置受付部３０１から通知される入力情報に応じた処理を行う。
【０１４６】
ユーザ特定部３０７は、装置受付部３０１および装置データ受信部３０６のうちの少なくとも一方から出力された情報に基づいて、所定の処理を行う。そして、ユーザ特定部３０７は、その処理結果を示す情報を画像として装置表示部３０２に表示させたり、その情報を装置データ送信部３０５から家電５００に送信させたりする。
【０１４７】
ここで、第１および第２の登録態様にしたがった登録について詳細に説明する。
【０１４８】
第１の登録態様では、家電５００の機器受付部５０１は、スロット番号を受け付ける。スロット番号が受け付けられると、機器登録部５０４は、ユーザ情報の入力を促すメッセージを機器表示部５０２に表示させる。これにより、ユーザ情報が上述の入力情報として機器受付部５０１によって受け付けられると、機器登録部５０４は、そのスロット番号のスロットにユーザ情報をユーザ設定情報として格納する。これにより、そのスロット番号のスロットに、ユーザ情報により特定されるユーザが、そのスロットのユーザとして登録（設定）される。
【０１４９】
第２の登録態様では、情報管理装置３００の装置受付部３０１は、家電５００への登録を促す操作を操作者から受け付ける。ユーザ特定部３０７は、その登録を促す操作が受け付けられると、ユーザＩＤの入力を促すメッセージを装置表示部３０２に表示させる。
【０１５０】
装置受付部３０１は、操作者によって指定されるユーザＩＤ（指定ユーザＩＤ）を入力情報として受け付ける。ユーザ特定部３０７は、そのユーザＩＤが受け付けられると、そのユーザＩＤに対応付けて装置記憶部３０３に格納されているユーザ情報を取得する。さらに、ユーザ特定部３０７は、機器データ送信部５０５および装置データ受信部３０６を介して機器記憶部５０３から、各スロットのユーザ設定情報を取得する。そして、ユーザ特定部３０７は、そのユーザＩＤおよびユーザ情報とユーザ設定情報とに基づいて、各スロットに対応する画像を生成し、それらの画像を含む登録画面を装置表示部３０２に表示させる。このように表示される登録画面から何れかの画像が操作者によって選択されると、装置受付部３０１は、その画像に対応するスロットのスロット番号を受け付ける。スロット番号が受け付けられると、ユーザ情報の入力を促すメッセージを装置表示部３０２に表示させる。ユーザ情報の入力が行われた場合は、装置登録部３０４は、そのスロット番号と、先に受け付けられたユーザＩＤと、入力されたユーザ情報とを、装置記憶部３０３にユーザ設定情報として格納し、かつ、装置データ送信部３０５および機器データ受信部５０６を介して機器登録部５０４に送信する。ユーザ情報の入力が行われなかった場合は、装置登録部３０４は、そのスロット番号と、先に受け付けられたユーザＩＤと、そのユーザＩＤに対応付けて装置記憶部３０３に格納されているユーザ情報とを、装置データ送信部３０５および機器データ受信部５０６を介して機器登録部５０４に送信する。機器登録部５０４は、そのスロット番号のスロットに、ユーザＩＤおよびユーザ情報をユーザ設定情報として格納する。
【０１５１】
図１２Ａは、ユーザＩＤの一例を示す図である。
【０１５２】
操作者は、例えば携帯端末３００ａを操作することによって、図１２Ａに示すように、自らのユーザＩＤ「０ｘ０００００００１」をその携帯端末３００ａに入力（指定）する。このように入力されたユーザＩＤが情報管理装置３００の装置受付部３０１によって指定ユーザＩＤとして受け付けられる。なお、装置受付部３０１は、操作者による操作によって文字列などを受け付け、その文字列を上述のユーザＩＤに変換してもよい。また、装置受付部３０１は、例えば上述のアプリケーションプログラムのログインＩＤをそのユーザＩＤとして用いてもよい。
【０１５３】
図１２Ｂは、家電５００の機器記憶部５０３に格納されている情報の一例を示す図である。
【０１５４】
機器記憶部５０３は、それぞれスロット番号によって識別される記憶領域である複数のスロットを有する。そして、スロットのそれぞれには、そのスロットの使用状況に応じて、スロット状態、ユーザＩＤ、ユーザ情報、およびユーザ履歴情報のうちの少なくとも１つが格納されている。なお、上述のスロットのユーザに関する情報であるユーザ設定情報は、そのスロットに格納されている情報のうち、ユーザ履歴情報を除く残りの情報である。つまり、スロット状態、ユーザＩＤおよびユーザ情報がスロットに格納されていれば、それらの全てを含む情報がユーザ設定情報である。
【０１５５】
ユーザＩＤは、スロットのユーザを識別または特定するための情報であって、例えば、「０ｘ０００００００１」などを示す。ユーザ情報は、スロットのユーザの特徴を示す情報であって、例えばそのユーザの年齢および身長などを示す。例えば、ユーザ情報は、年齢「３８歳」および身長「１７５ｃｍ」などを示す。
【０１５６】
ユーザ履歴情報は、過去に家電５００によって得られたユーザの情報を含む。この家電５００が体組成計である場合には、過去に測定されたユーザの体重と、その測定が行われた日時とを含む情報（例えば、日時「２０１３年６月１３日」および体重「７０．３ｋｇ」）が測定情報としてユーザ履歴情報に含まれる。その他、室温などがユーザ履歴情報に含まれてもよい。また、測定が行われるごとに、最新の測定情報がユーザ履歴情報に追加される。
【０１５７】
スロット状態は、スロットの状態を示す情報であって、例えば、「ユーザＩＤ登録済み」、「ユーザＩＤ未登録」および「空き」などを示す情報である。つまり、スロットにユーザＩＤが格納されている場合には、そのスロットのスロット状態は「ユーザＩＤ登録済み」を示す。また、スロットにユーザＩＤが格納されておらず、ユーザ情報およびユーザ履歴情報が格納されている場合には、そのスロットのスロット状態は「ユーザＩＤ未登録」を示す。さらに、スロットにユーザＩＤ、ユーザ情報およびユーザ履歴情報が格納されていない場合には、そのスロットのスロット状態は「空き」を示す。
【０１５８】
なお、「ユーザＩＤ登録済み」を示すスロット状態が格納されているスロットは、上述の第２の登録態様にしたがった登録、つまり、情報管理装置３００を介した登録が行われたスロットである。一方、「ユーザＩＤ未登録」を示すスロット状態が格納されているスロットは、上述の第１の登録態様にしたがった登録、つまり、家電５００への直接的な登録が行われたスロットである。
【０１５９】
このような機器記憶部５０３に格納されている情報は、機器登録部５０４によって生成される。つまり、機器登録部５０４は、機器データ受信部５０６を介して情報管理装置３００から取得したスロット番号のスロットに、機器データ受信部５０６を介して情報管理装置３００から取得したユーザＩＤおよびユーザ情報を格納する。また、機器登録部５０４は、機器受付部５０１によって受け付けられたスロット番号のスロットに、機器受付部５０１によって受け付けられたユーザ情報を格納する。さらに、機器登録部５０４は、測定によって測定情報が得られた場合には、そのスロットに測定情報をユーザ履歴情報の一部として格納する。そして、機器登録部５０４は、各スロットにおけるユーザＩＤ、ユーザ情報およびユーザ履歴情報の格納状況を確認し、その確認結果に基づいて、各スロットのスロット状態を格納する。
【０１６０】
なお、スロット状態はユーザ設定情報に含まれていなくてもよい。この場合には、ユーザＩＤを有するユーザ設定情報は、上述の「ユーザＩＤ登録済み」が示し、ユーザＩＤを有することなくユーザ情報のみを有するユーザ設定情報は、上述の「ユーザＩＤ未登録」を示す。また、ユーザＩＤおよびユーザ情報を含まないユーザ設定情報は、上述の「空き」を示す。
【０１６１】
図１２Ｃは、情報管理装置３００の装置記憶部３０３に格納されている情報の一例を示す図である。
【０１６２】
装置記憶部３０３は、ユーザごとに、そのユーザを特定するためのユーザＩＤと、そのユーザのユーザ情報と、そのユーザのユーザ履歴情報とを保持している。
【０１６３】
このような装置記憶部３０３に格納される情報は、装置登録部３０４およびユーザ特定部３０７によって生成される。つまり、装置登録部３０４は、装置受付部３０１によってユーザＩＤおよびユーザ情報が受け付けられた場合には、そのユーザＩＤおよびユーザ情報を装置記憶部３０３に格納する。また、ユーザ特定部３０７は、家電５００の機器記憶部５０３から、機器データ送信部５０５および装置データ受信部３０６を介して、所定のユーザのユーザＩＤと測定情報を取得したときには、そのユーザＩＤに対応付けてその測定情報をユーザ履歴情報の一部として装置記憶部３０３に格納する。
【０１６４】
図１３は、装置表示部３０２に表示される登録画面の一例を示す図である。
【０１６５】
ユーザ特定部３０７は、装置受付部３０１によって受け付けられた操作者のユーザＩＤと、そのユーザＩＤによって特定される操作者のユーザ情報と、家電５００から取得された各スロットのユーザ設定情報とに基づいて、各スロットに対応する画像を生成する。そして、ユーザ特定部３０７は、図１３に示すように、それらの画像を含む登録画面を装置表示部３０２に表示させる。
【０１６６】
ここで、ユーザ特定部３０７は、各スロットに対応する画像を生成する際には、スロットごとに、そのスロットが使用されているか否か、および、操作者とそのスロットのユーザとの関係、が分かるような背景色を有する画像を生成する。
【０１６７】
具体的には、ユーザ特定部３０７は、装置受付部３０１によって受け付けられた操作者のユーザＩＤ（指定ユーザＩＤ）と、スロットのユーザ設定情報に含まれるユーザＩＤとが一致するか否かを判定する。そして、一致すると判定したときには、ユーザ特定部３０７は、そのスロットが操作者によって使用されていると断定する。これにより、ユーザ特定部３０７は、その断定結果「操作者（断定）」を示す背景色を有する画像を、そのスロットに対して生成する。
【０１６８】
また、一致しないと判定したときには、ユーザ特定部３０７は、そのスロットが操作者以外のユーザによって使用されていると断定する。これにより、ユーザ特定部３０７は、その断定結果「操作者以外（断定）」を示す背景色を有する画像を、そのスロットに対して生成する。
【０１６９】
さらに、ユーザ特定部３０７は、スロットのユーザ設定情報にユーザＩＤが含まれていない場合には、指定ユーザＩＤによって特定される操作者のユーザ情報と、ユーザ設定情報に含まれるユーザ情報とが略一致するか否かを判定する。なお、ユーザ特定部３０７は、図１２Ｃに示すように、指定ユーザＩＤに対応付けて装置記憶部３０３に格納されているユーザ情報を、その指定ユーザＩＤによって特定される操作者のユーザ情報として用いることによって、上述の判定を行う。そして、略一致すると判定したときには、ユーザ特定部３０７は、そのスロットが操作者によって使用されていると類推する。これにより、ユーザ特定部３０７は、その類推結果「操作者（類推）」を示す背景色を有する画像を、そのスロットに対して生成する。
【０１７０】
また、略一致しないと判定したときには、ユーザ特定部３０７は、そのスロットが操作者以外のユーザによって使用されていると類推する。これにより、ユーザ特定部３０７は、その類推結果「操作者以外（類推）」を示す背景色を有する画像を、そのスロットに対して生成する。
【０１７１】
さらに、ユーザ特定部３０７は、ユーザ設定情報にユーザＩＤおよびユーザ情報が含まれていない場合、つまり、ユーザ設定情報のスロット状態が「空き」を示す場合には、そのスロットが何れのユーザにも使用されていないと断定する。これにより、ユーザ特定部３０７は、その断定結果「空き」を示す背景色を有する画像を、そのスロットに対して生成する。
【０１７２】
なお、図１３に示す登録画面では、スロット１〜４の全てのスロットに対応する画像の背景色は「空き」を示す。したがって、この登録画面を見た操作者は、何れのスロットに対しても登録を行うことができると容易に判断することができる。
【０１７３】
図１４は、スロットに対して生成される画像の背景色の一例を示す図である。
【０１７４】
ユーザ特定部３０７は、図１４に示すように、例えば一様に濃色の背景色を有する画像を、「操作者（断定）」を示す背景色を有する画像として生成する。また、ユーザ特定部３０７は、例えばチェック柄の背景色を示す画像を、「操作者以外（断定）」を示す背景色を有する画像として生成する。また、ユーザ特定部３０７は、例えば一様に薄色の背景色を有する画像を、「操作者（類推）」を示す背景色を有する画像として生成する。また、ユーザ特定部３０７は、例えば網目模様の背景色を示す画像を、「操作者以外（類推）」を示す背景色を有する画像として生成する。さらに、ユーザ特定部３０７は、例えば白色の背景色を有する画像を、「空き」を示す背景色を有する画像として生成する。
【０１７５】
図１５は、装置表示部３０２に表示される登録画面の一例を示す図である。
【０１７６】
ユーザ特定部３０７は、スロット１〜４のそれぞれに対応する画像を含む登録画面を装置表示部３０２に表示する。このとき、ユーザ特定部３０７は、図１５に示すように、例えば、スロット１に対応する画像として、「操作者（断定）」を示す背景色の画像を表示し、スロット２に対応する画像として、「操作者以外（断定）」を示す背景色の画像を表示し、スロット３に対応する画像として、「操作者以外（類推）」を示す背景色の画像を表示し、スロット４に対応する画像として、「空き」を示す背景色の画像を表示する。
【０１７７】
したがって、この登録画面を見た操作者は、スロット１のユーザとして既に自らが登録されており、改めて登録を行う必要がないと容易に判断することができる。
【０１７８】
図１６は、情報管理装置３００の処理動作を示すフローチャートである。
【０１７９】
情報管理装置３００は、例えば図１２Ａに示す、操作者のユーザＩＤ（指定ユーザＩＤ）を受け付ける（ステップＳ３０１）。さらに、情報管理装置３００は、家電５００から、各スロットのスロット状態、例えば図１２Ｂに示すユーザ設定情報に含まれるスロット状態を取得する（ステップＳ３０２）。次に、情報管理装置３００は、それらのスロット状態が「ユーザＩＤ登録済み」、「ユーザＩＤ未登録」および「空き」のうちの何れを示しているかを判定する（ステップＳ３０３）。ここで、情報管理装置３００は、何れかのスロット状態が「ユーザＩＤ登録済み」を示していると判定すると、家電５００から、図１２Ｂに示すユーザ設定情報に含まれるそのスロット状態に対応するユーザＩＤ、つまりスロットのユーザＩＤを取得する（ステップＳ３０４）。そして、情報管理装置３００は、操作者のユーザＩＤとスロットのユーザＩＤとが一致するか否かを判定する（ステップＳ３０５）。
【０１８０】
ここで、情報管理装置３００は、一致すると判定したときには（ステップＳ３０５のＹ）、スロットの画像の背景色を、「操作者（断定）」を示す背景色に設定する（ステップＳ３０６）。これにより、その背景色を有する画像が生成される。一方、情報管理装置３００は、一致しないと判定したときには（ステップＳ３０５のＮ）、スロットの画像の背景色を、「操作者以外（断定）」を示す背景色に設定する（ステップＳ３０７）。これにより、その背景色を有する画像が生成される。
【０１８１】
また、ステップＳ３０３において、情報管理装置３００は、何れかのスロット状態が「ユーザＩＤ未登録」を示していると判定すると、家電５００から、図１２Ｂに示すユーザ設定情報に含まれるそのスロット状態に対応するユーザ情報（スロットのユーザ情報）を取得するとともに、装置記憶部３０３から、操作者のユーザＩＤに対応付けられた、例えば図１２Ｃに示すユーザ情報（操作者のユーザ情報）を取得する（ステップＳ３０８）。そして、情報管理装置３００は、操作者のユーザ情報とスロットのユーザ情報とが略一致するか否かを判定する（ステップＳ３０９）。なお、操作者のユーザ情報およびスロットのユーザ情報とはそれぞれ、例えば、ユーザの年齢または身長などの特徴的な数値を示している。そして、それらのユーザ情報により示される特徴的な数値の差分が、予め定められた範囲に収まる場合に、それらのユーザ情報が略一致していると判定される。
【０１８２】
ここで、情報管理装置３００は、略一致すると判定したときには（ステップＳ３０９のＹ）、スロットの画像の背景色を、「操作者（類推）」を示す背景色に設定する（ステップＳ３１０）。これにより、その背景色を有する画像が生成される。一方、情報管理装置３００は、略一致しないと判定したときには（ステップＳ３０９のＮ）、スロットの画像の背景色を、「操作者以外（類推）」を示す背景色に設定する（ステップＳ３１１）。これにより、その背景色を有する画像が生成される。
【０１８３】
また、ステップＳ３０３において、情報管理装置３００は、何れかのスロット状態が「空き」を示していると判定すると、スロットの画像の背景色を、「空き」を示す背景色に設定する（ステップＳ３１２）。
【０１８４】
そして、ステップＳ３０６、Ｓ３０７およびＳ３１０〜Ｓ３１２の処理によって画像が生成されると、情報管理装置３００は、例えば図１３または図１５に示すように、複数のスロットの画像を含む登録画面を表示する（ステップＳ３１６）。
【０１８５】
このように本実施の形態では、それぞれのスロットに対応付けられる画像が、そのスロットに記憶されているユーザ設定情報によって特定されるユーザと、ユーザＩＤ（指定ユーザＩＤ）またはユーザ情報によって特定される操作者との関係に応じた態様で表示される。したがって、操作者は、それぞれのスロットが他のユーザによって使用されているか、どのスロットを既に自らが使用しているかを、視覚的に容易に把握することができる。さらに、どのスロットが何れのユーザにも使用されていないかを、視覚的に容易に把握することができる。つまり、複数のスロットのそれぞれの使用状況を視覚的に分かり易く提示することができる。
【０１８６】
また、操作者の指定ユーザＩＤと一致するユーザＩＤを記憶しているスロットに対しては、「操作者（断定）」を示す背景色の画像（第４の画像）が第１の画像として表示されるため、操作者は、自らが使用していると断定されるスロットを容易に見つけることができる。また、スロットにユーザＩＤが記憶されていない場合であっても、操作者のユーザ情報によって示される特徴と略一致する特徴を示すユーザ設定情報を記憶しているスロットに対しては、「操作者（類推）」を示す背景色の画像（第５の画像）が第１の画像として表示されるため、操作者は、自らが使用していると類推されるスロットを容易に見つけることができる。
【０１８７】
ここで、操作者の指定ユーザＩＤと一致するユーザＩＤを記憶しているスロットに対応付けられる画像（第４の画像）と、操作者のユーザ情報によって示される特徴と略一致する特徴を示すユーザ設定情報を記憶しているスロットに対応付けられる画像（第５の画像）とは、視覚的に区別し得る態様で表示される。したがって、操作者は、スロットが、自らが使用していると断定されるスロットか、自らが使用していると類推されるスロットかを容易に把握することができる。
【０１８８】
また、操作者の指定ユーザＩＤと一致していないユーザＩＤを記憶しているスロットに対しては、「操作者以外（断定）」を示す背景色の画像（第６の画像）が第２の画像として表示されるため、操作者は、他のユーザが使用していると断定されるスロットを容易に見つけることができる。また、スロットにユーザＩＤが記憶されていない場合であっても、操作者のユーザ情報によって示される特徴と略一致しない特徴を示すユーザ設定情報を記憶しているスロットに対しては、「操作者以外（類推）」を示す背景色の画像（第７の画像）が第２の画像として表示されるため、操作者は、他のユーザが使用していると類推されるスロットを容易に見つけることができる。
【０１８９】
ここで、操作者の指定ユーザＩＤと一致しないユーザＩＤを記憶しているスロットに対応付けられる第６の画像と、操作者のユーザ情報によって示される特徴と略一致しない特徴を示すユーザ設定情報を記憶しているスロットに対応付けられる第７の画像とは、視覚的に区別し得る態様で表示される。したがって、操作者は、スロットが、他のユーザが使用していると断定されるスロットか、他のユーザが使用していると類推されるスロットかを容易に把握することができる。
【０１９０】
したがって、本実施の形態における情報管理装置３００では、上述のような各スロットに対応する画像が表示されるため、それらのスロットの中から適切なスロットを選択して登録を行うことができる。また、ユーザＩＤが家電５００のユーザ設定情報に含まれていない場合であっても、ユーザ情報に応じて適切な画像が表示される。したがって、家電５００への直接的な登録、つまり上記第１の登録態様で登録が行われた結果、ユーザＩＤが家電５００のユーザ設定情報にない場合であっても、各スロットの使用状況を適切に表示することができる。
【０１９１】
（実施の形態３の変形例）
本変形例に係る情報管理装置３００は、スロットに対応する画像だけでなく、そのスロットの優先度を示す優先度情報も表示する点に特徴がある。
【０１９２】
ここでは、スロットの優先度は、当該スロットに記憶されている情報の重要度に基づくものである。スロットの優先度を示す優先度情報は、すなわち、当該スロットに記憶されている情報の重要度を示す情報である。記憶されている情報の重要度が高いスロットの優先度は高いものとする。記憶されている情報の重要度が低いスロットの優先度は低いものとする。使用されていないスロットは、さらに重要度が低い情報を記憶しているものとみなされてもよい。
【０１９３】
図１７は、本変形例に係る装置表示部３０２に表示される登録画面の一例を示す図である。
【０１９４】
本変形例に係る情報管理装置３００は、図１７に示すように、スロットのそれぞれに対して、例えば優先度情報として、更新状況を装置表示部３０２に表示する。
【０１９５】
この更新状況は、スロットに格納されているユーザ履歴情報の更新の状況であって、例えば、所定期間内に更新されているか否かなどを示す（例えば、「１年以上未更新」などを示す）。ここでは、更新されていない期間が短いユーザ履歴情報の重要度が高く、更新されていない期間が長いユーザ履歴情報の重要度が低いものとする。
【０１９６】
この場合、スロットに格納されているユーザ履歴情報が更新されていない期間が長いほど、そのスロットの優先度は低い。したがって、このような更新状況に応じた優先度情報が表示されることによって、操作者は、例えば、全てのスロットに対して「操作者以外（類推）」を示す背景色の画像が表示されていても、何れのスロットの優先度が低いのかを適切に判断することができる。つまり、操作者は、何れのスロットのユーザＩＤおよびユーザ情報に対して上書きするのがよいかを容易に判断することができる。
【０１９７】
図１８は、本変形例に係る情報管理装置３００の処理動作を示すフローチャートである。
【０１９８】
本変形例に係る情報管理装置３００は、上記実施の形態３の図１６に示すステップＳ３０１〜Ｓ３１２の処理を行う。また、本変形例に係る情報管理装置３００は、ステップＳ３０７、ステップＳ３１０またはステップＳ３１１が行なわれた後には、スロットの測定履歴を取得する（ステップＳ３１３）。このスロットの測定履歴は、図１２Ｂに示すユーザ履歴情報における最新の測定情報に含まれる日時である。つまり、情報管理装置３００のユーザ特定部３０７は、機器データ送信部５０５および装置データ受信部３０６を介して、家電５００の機器記憶部５０３から、上述の最新の測定情報に含まれる日時を測定履歴として取得する。次に、情報管理装置３００のユーザ特定部３０７は、その測定履歴に基づいてスロットの優先度を決定する（ステップＳ３１４）。さらに、ユーザ特定部３０７は、ステップＳ３０７、ステップＳ３１０またはステップＳ３１１において生成された画像に対して、その優先度を示す優先度情報を重畳する（ステップＳ３１５）。そして、ユーザ特定部３０７は、そのスロットの優先度情報が重畳された画像を装置表示部３０２に表示する（ステップＳ３１６）。
【０１９９】
このように本変形例では、複数のスロットのそれぞれに対応付けられる画像と優先度情報とが表示されるため、例えばスロットに空きがないような場合であっても、それらのスロットに対応する優先度情報を見ることによって、それらのスロットの中から、操作者が使用可能なスロットを容易に見つけることができる。例えば、優先度の低いスロットを、操作者が使用可能なスロットとして判断することができる。また、このような優先度情報を見た操作者が、優先度の低いスロットを選択すると、そのスロットに格納されているユーザＩＤおよびユーザ情報に対して、操作者のユーザＩＤ（指定ユーザＩＤ）およびユーザ情報が上書きされる。つまり、優先度の低いスロットに格納されていたユーザＩＤおよびユーザ情報は消去され、操作者のユーザＩＤおよびユーザ情報が新たなユーザ設定情報として格納される。
【０２００】
なお、本変形例では、ステップＳ３０７、ステップＳ３１０またはステップＳ３１１において生成された画像に対して、優先度が決定されて、その優先度を示す優先度情報が重畳されるが、ステップＳ３０６またはステップＳ３１２において生成された画像に対しても、同様に、対応するスロットの優先度を決定し、その優先度を示す優先度情報を重畳してもよい。
【０２０１】
また、上記実施の形態３またはその変形例に対しても、上記実施の形態１または２の変形例を適用してもよい。
【０２０２】
つまり、実施の形態３またはその変形例における情報管理方法は、さらに、操作者の指定ユーザＩＤと一致していないユーザＩＤを示すユーザ設定情報が記憶されているスロットが操作者によって登録対象のスロットとして選択された場合に、その指定ユーザＩＤまたはユーザ情報を格納するか否かを問い合わせる画面を表示するステップと、その画面における問い合わせに対する回答を受け付けるステップとを含んでいてもよい。ここで、格納を行うことを示す回答が受け付けられた場合に限って、その指定ユーザＩＤまたはユーザ情報が新たなユーザ設定情報として、その選択されたスロットに格納される。
【０２０３】
これにより、操作者が、他のユーザが使用していると断定されるスロットを選択してしまったときには、操作者の指定ユーザＩＤまたはユーザ情報を格納するか否かを問い合わせる画面が表示される。したがって、操作者が、既に格納されている他のユーザのユーザ設定情報に、その操作者の指定ユーザＩＤなどを新たなユーザ設定情報として、誤って上書きしてしまうことを防ぐことができる。
【０２０４】
また、実施の形態３またはその変形例における情報管理方法は、さらに、登録対象のスロットとして選択されたスロットに格納されている暗証番号を取得するステップと、指定される暗証番号を受け付けるステップとを含んでいてもよい。ここで、指定される暗証番号と、そのスロットに格納されている暗証番号とが一致する場合に、操作者の指定ユーザＩＤまたはユーザ情報が新たなユーザ設定情報として、その選択されたスロットに格納される。
【０２０５】
これにより、暗証番号が一致しない場合には、操作者のユーザＩＤまたはユーザ情報は新たなユーザ設定情報としてスロットに格納されないため、操作者による不正な登録を防ぐことができる。
【０２０６】
以上、本発明の一つまたは複数の態様に係る情報管理方法について、各実施の形態およびそれらの変形例に基づいて説明したが、本発明は、これらの実施の形態および変形例に限定されるものではない。本発明の趣旨を逸脱しない限り、当業者が思いつく各種変形を本実施の形態または変形例に施したものや、異なる実施の形態における構成要素を組み合わせて構築される形態も、本発明の一つまたは複数の態様の範囲内に含まれてもよい。
【０２０７】
図１９Ａは、本発明の一態様に係る情報管理方法のフローチャートを示す図である。
【０２０８】
本発明の一態様に係る情報管理方法は、複数の記憶領域を管理するための情報管理方法であって、前記複数の記憶領域を有する機器から、記憶領域ごとに、当該記憶領域に記憶されているユーザに関する情報であるユーザ設定情報を取得する第１の取得ステップ（Ｓ１１）と、指定されるユーザＩＤを指定ユーザＩＤとして受け付ける受付ステップ（Ｓ１２）と、前記指定ユーザＩＤにより特定されるユーザの特徴を示すユーザ情報を取得する第２の取得ステップ（Ｓ１３）と、前記指定ユーザＩＤおよび前記ユーザ情報と前記複数の記憶領域のそれぞれのユーザ設定情報とに基づき、前記複数の記憶領域のそれぞれに対応付けられる画像を表示する表示ステップ（Ｓ１４）とを含む。前記表示ステップ（Ｓ１４）では、前記指定ユーザＩＤまたは前記ユーザ情報により特定されるユーザに関するユーザ設定情報を記憶している記憶領域に対しては第１の画像を表示し、前記指定ユーザＩＤまたは前記ユーザ情報により特定されるユーザとは異なるユーザに関するユーザ設定情報を記憶している記憶領域に対しては、前記第１の画像とは異なる第２の画像を表示し、ユーザに使用されていないことを示すユーザ設定情報が記憶されている前記記憶領域に対しては、前記第１および第２の画像の何れとも異なる第３の画像を表示する。
【０２０９】
図１９Ｂは、本発明の一態様に係る情報管理装置の構成を示すブロック図である。
【０２１０】
本発明の一態様に係る情報管理装置１０は、ユーザ設定情報取得部１１と、指定ユーザＩＤ受付部１２と、ユーザ情報取得部１３と、画像表示処理部１４とを備える。ユーザ設定情報取得部１１は、前記複数の記憶領域を有する機器２０から、記憶領域ごとに、当該記憶領域に記憶されているユーザに関する情報であるユーザ設定情報を取得する。指定ユーザＩＤ受付部１２は、指定されるユーザＩＤを指定ユーザＩＤとして受け付ける。ユーザ情報取得部１３は、前記指定ユーザＩＤにより特定されるユーザの特徴を示すユーザ情報を例えばユーザ情報記憶部３０から取得する。画像表示処理部１４は、前記指定ユーザＩＤおよび前記ユーザ情報と前記複数の記憶領域のそれぞれのユーザ設定情報とに基づき、前記複数の記憶領域のそれぞれに対応付けられる画像を表示する。ここで、画像表示処理部１４は、前記指定ユーザＩＤまたは前記ユーザ情報により特定されるユーザに関するユーザ設定情報を記憶している記憶領域に対しては第１の画像を表示し、前記指定ユーザＩＤまたは前記ユーザ情報により特定されるユーザとは異なるユーザに関するユーザ設定情報を記憶している記憶領域に対しては、前記第１の画像とは異なる第２の画像を表示し、ユーザに使用されていないことを示すユーザ設定情報が記憶されている前記記憶領域に対しては、前記第１および第２の画像の何れとも異なる第３の画像を表示する。
【０２１１】
このような態様では、それぞれの記憶領域に対応付けられる画像が、その記憶領域に記憶されているユーザ設定情報によって特定されるユーザと、指定ユーザＩＤまたはユーザ情報によって特定される操作者であるユーザとの関係に応じた態様で表示される。したがって、操作者は、それぞれの記憶領域が他のユーザによって使用されているか、どの記憶領域を既に自らが使用しているかを、視覚的に容易に把握することができる。さらに、どの記憶領域が何れのユーザにも使用されていないかを、視覚的に容易に把握することができる。つまり、複数の記憶領域のそれぞれの使用状況を視覚的に分かり易く提示することができる。
【０２１２】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の情報管理装置などを実現するソフトウェアは、図１９Ａに示す情報管理方法をコンピュータに実行させるプログラムである。
【０２１３】
また、上記各実施の形態およびそれらの変形例における情報管理方法では、操作者が登録を行うときに、上述の登録画面を表示したが、そのような登録に限らず、他の任意のタイミングで図１３、図１５または図１７に示す登録画面を表示してもよい。例えば、操作者が各スロットの使用状況を確認しようとするタイミングで、上述の登録画面を確認画面として表示してもよい。
【０２１４】
また、上記各実施の形態およびそれらの変形例では、情報管理装置は、操作者によって指定されたユーザＩＤ（指定ユーザＩＤ）を受け付けると、そのユーザＩＤに対応付けられたユーザ情報を記憶部またはサーバから取得した。しかし、このようなユーザ情報が記憶部またはサーバに予めユーザＩＤに対応付けて格納されていない場合には、情報管理装置は、ユーザＩＤとともに、操作者によって指定されたユーザ情報を受け付けてもよい。
【０２１５】
なお、本発明は、以下のような場合も本発明に含まれる。
【０２１６】
（１）上記の各装置は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭまたはハードディスクユニットには、コンピュータプログラムが記憶されている。前記マイクロプロセッサが、前記コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０２１７】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムにしたがって動作することにより、システムＬＳＩは、その機能を達成する。
【０２１８】
（３）上記の各装置を構成する構成要素の一部または全部は、各装置に脱着可能なＩＣカードまたは単体のモジュールから構成されているとしてもよい。前記ＩＣカードまたは前記モジュールは、マイクロプロセッサ、ＲＯＭ、ＲＡＭなどから構成されるコンピュータシステムである。前記ＩＣカードまたは前記モジュールは、上記の超多機能ＬＳＩを含むとしてもよい。マイクロプロセッサが、コンピュータプログラムにしたがって動作することにより、前記ＩＣカードまたは前記モジュールは、その機能を達成する。このＩＣカードまたはこのモジュールは、耐タンパ性を有するとしてもよい。
【０２１９】
（４）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【０２２０】
また、本発明は、前記コンピュータプログラムまたは前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしてもよい。また、これらの記録媒体に記録されている前記デジタル信号であるとしてもよい。
【０２２１】
また、本発明は、前記コンピュータプログラムまたは前記デジタル信号を、電気通信回線、無線または有線通信回線、インターネットを代表とするネットワーク、データ放送等を経由して伝送するものとしてもよい。
【０２２２】
また、本発明は、マイクロプロセッサとメモリを備えたコンピュータシステムであって、前記メモリは、上記コンピュータプログラムを記憶しており、前記マイクロプロセッサは、前記コンピュータプログラムにしたがって動作するとしてもよい。
【０２２３】
また、前記プログラムまたは前記デジタル信号を前記記録媒体に記録して移送することにより、または前記プログラムまたは前記デジタル信号を前記ネットワーク等を経由して移送することにより、独立した他のコンピュータシステムにより実施するとしてもよい。
【０２２４】
（５）上記実施の形態及び上記変形例をそれぞれ組み合わせるとしてもよい。
【産業上の利用可能性】
【０２２５】
本発明にかかる情報管理方法は、家電などの機器が有する複数の記憶領域を管理する、例えばスマートフォンなどの携帯端末を含む情報管理装置に適用することができる。例えば、ユーザに対するユーザ情報を扱う家電などにおいて、そのユーザ情報をユーザに登録させる場合に有用である。また、家電本体への直接的な登録操作だけでなく、通信端末などを用いた遠隔操作による登録操作にも応用できる。
【符号の説明】
【０２２６】
１０、１０１、２０１、３００    情報管理装置
１１    ユーザ設定情報取得部
１２    指定ユーザＩＤ受付部
１３    ユーザ情報取得部
１４    画像表示処理部
２０    機器
３０    ユーザ情報記憶部
２０２    外部装置
３００ａ    携帯端末
３００ｂ    サーバ
３００ｃ    通信網
３０１    装置受付部
３０２    装置表示部
３０３    装置記憶部
３０４    装置登録部
３０５    装置データ送信部
３０６    装置データ受信部
３０７    ユーザ特定部
４００    ダウンロードサーバ
５００    家電
５０１    機器受付部
５０２    機器表示部
５０３    機器記憶部
５０４    機器登録部
５０５    機器データ送信部
５０６    機器データ受信部
１００１、２００１    受付部
１００２、２００２    ユーザ情報管理部
１００３、２００３    表示情報生成部
１００４、２００４    表示部 
【図１】
2014034116.tif 000003
【図２】
2014034116.tif 000004
【図３】
2014034116.tif 000005
【図４】
2014034116.tif 000006
【図５】
2014034116.tif 000007
【図６】
2014034116.tif 000008
【図７】
2014034116.tif 000009
【図８】
2014034116.tif 000010
【図９】
2014034116.tif 000011
【図１０】
2014034116.tif 000012
【図１１】
2014034116.tif 000013
【図１２Ａ】
2014034116.tif 000014
【図１２Ｂ】
2014034116.tif 000015
【図１２Ｃ】
2014034116.tif 000016
【図１３】
2014034116.tif 000017
【図１４】
2014034116.tif 000018
【図１５】
2014034116.tif 000019
【図１６】
2014034116.tif 000020
【図１７】
2014034116.tif 000021
【図１８】
2014034116.tif 000022
【図１９Ａ】
2014034116.tif 000023
【図１９Ｂ】
2014034116.tif 000024
【国際調査報告】
2014034116.tif 000025
2014034116.tif 000026
2014034116.tif 000027
2014034116.tif 000028